【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
パケット断片を指向する方法において、
第１パケット断片を受信し、
前記第１パケット断片がパケットの一部分であることを決定し、
前記第１パケット断片が前記パケットの方向に関連した情報を含むかどうかチェックし、
前記断片の情報を記憶し、
前記第１パケット断片を前記情報に基づいて指向し、
第２パケット断片を受信し、
前記第２パケット断片が前記パケットの一部分であるかどうかチェックし、そして
前記第２パケット断片を前記記憶された情報に基づいて転送する、
という段階を備えた方法。
【請求項２】
前記第２パケット断片が前記第１パケット断片の前に受信されたときには、前記第１パケット断片が受信されるまで前記第２パケット断片を記憶する請求項１に記載の方法。
【請求項３】
前記方法は、複数のベアラの所要のベアラへパケット断片を指向するように構成される請求項１又は２に記載の方法。
【請求項４】
前記チェック段階は、前記パケット断片が前記所要のベアラに関連した情報を含むかどうかチェックすることを含む請求項３に記載の方法。
【請求項５】
前記情報は、ソースアドレス、行先アドレス、及び断片ヘッダにおける識別の少なくとも１つである請求項４に記載の方法。
【請求項６】
前記記憶段階は、ソースアドレス、行先アドレス、及び断片ヘッダにおける識別の少なくとも１つを記憶することを含む請求項１ないし５のいずれかに記載の方法。
【請求項７】
前記パケット断片に含まれた断片化関連情報を記憶する段階を更に備えた請求項１に記載の方法。
【請求項８】
前記方向情報を含むパケット断片が受信された後に別のパケット断片を受信し、そして前記別のパケット断片を前記方向情報に基づいて指向する段階を更に備えた請求項１ないし７のいずれかに記載の方法。
【請求項９】
相互に関連したパケット断片の第１セットを指向する方法であって、該第１セットは、相互に関連したパケット断片の第２セットを含み、該第２セットのパケット断片は、前記パケット断片の方向に関連した情報を含み、前記パケット断片の第２セットは、少なくとも１つのパケット断片を含み、前記方法は、
前記パケット断片の少なくとも１つを受信し、
前記少なくとも１つのパケット断片が前記相互に関連したパケット断片の第１セットに属することを決定し、
前記少なくとも１つのパケット断片が前記パケットエンティティの第２セットに属さないことを決定し、そして
前記少なくとも１つのパケット断片の１つの少なくとも一部分を記憶する、
という段階を備えた方法。
【請求項１０】
少なくとも１つのパケット断片を記憶する段階を更に備えた請求項９に記載の方法。
【請求項１１】
少なくとも１つの更に別のパケット断片を受信し、
前記受信された少なくとも１つの更に別のパケット断片が前記パケット断片の第２セットに属することを決定し、そして
前記少なくとも１つの更に別のパケット断片に含まれた前記情報に基づいて前記パケット断片を指向する、
という段階を更に備えた請求項９又は１０に記載の方法。
【請求項１２】
前記少なくとも１つのパケット断片は、前記所要の方向が決定されるまで記憶される請求項９ないし１１のいずれかに記載の方法。
【請求項１３】
少なくとも１つのパケット断片が所定時間中記憶されそして前記所要の方向が決定されないときには、前記少なくとも１つのパケット断片が送信されるべき方向を選択し、そして前記少なくとも１つのパケット断片を前記選択された方向に送信する請求項９ないし１２のいずれかに記載の方法。
【請求項１４】
少なくとも１つのパケット断片が所定時間中記憶されそして前記所要の方向が決定されないときには、前記少なくとも１つのパケットを記憶装置から除去する請求項９ないし１３のいずれかに記載の方法。
【請求項１５】
前記少なくとも１つのパケット断片を記憶する記憶装置が所定量以上のデータを記憶している場合には、前記少なくとも１つのパケット断片が送信されるべき方向を選択し、そして前記少なくとも１つのパケット断片を前記選択された方向に送信する請求項９ないし１４のいずれかに記載の方法。
【請求項１６】
前記少なくとも１つのパケット断片を記憶する記憶装置が所定量以上のデータを記憶している場合には、前記少なくとも１つのパケットを前記記憶装置から除去する請求項９ないし１５のいずれかに記載の方法。
【請求項１７】
少なくとも１つのパケット断片のヘッダからの情報を記憶する請求項９ないし１６のいずれかに記載の方法。
【請求項１８】
前記記憶された情報は、ソースアドレス、行先アドレス及び識別情報のうちの少なくとも１つを含む請求項１７に記載の方法。
【請求項１９】
前記方向は、ＰＤＰコンテクスト及び／又は複数のベアラの１つ及び／又はベアラを含む請求項９ないし１８のいずれかに記載の方法。
【請求項２０】
前記方向情報は、前記行先アドレスを含む請求項９ないし１９のいずれかに記載の方法。
【請求項２１】
複数の関連パケット断片を指向するための装置であって、前記パケット断片の１つ又は幾つかだけが、前記パケット断片の方向に関連した情報を含み、前記装置は、
前記複数のパケット断片を受信する手段と、
前記情報を含む前記パケット断片の少なくとも１つから所要の方向アドレスを決定する手段と、
前記複数の関連パケット断片を前記所要の方向に指向する手段と、
を備えた装置。
【請求項２２】
前記装置は、パケット交換ネットワークにおけるノードとして使用できる請求項２１に記載の装置。
【請求項２３】
前記ネットワークは、ＧＰＲＳネットワークである請求項２２に記載の装置。
【請求項２４】
上記装置は、ＧＧＳＮである請求項２１ないし２３のいずれかに記載の装置。
【請求項２５】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうであれば、そのパケットに含まれた断片化関連情報を記憶する、
という段階を備えた方法。
【請求項２６】
前記パケットを前記所要のベアラへ転送する段階を更に備えた請求項２５に記載の方法。
【請求項２７】
第２のパケットを受信し、
前記第２のパケットを、断片化関連情報に基づいて前記所要のベアラへ転送する、
という段階を更に備えた請求項２５又は２６に記載の方法。
【請求項２８】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうでなければ、前記パケットに含まれた断片化関連情報を記憶し、そして前記パケットを記憶する、
という段階を備えた方法。
【請求項２９】
前記所要のベアラの選択に関連した情報を含む別のパケットを受信し、そして
前記別のパケット及び前記記憶されたパケットを前記所要のベアラへ転送する、
という段階を更に備えた請求項２８に記載の方法。
【請求項３０】
相互に関連したパケット断片の第１セットを指向する装置であって、該第１セットは、相互に関連したパケット断片の第２セットを含み、該第２セットのパケット断片は、前記パケット断片の方向に関連した情報を含み、前記パケット断片の第２セットは、少なくとも１つのパケット断片を含み、前記装置は、
前記パケット断片の少なくとも１つを受信する手段と、
前記少なくとも１つのパケット断片が前記相互に関連したパケット断片の第１セットに属することを決定する手段と、
前記少なくとも１つのパケット断片が前記パケット断片の第２セットに属さないことを決定する手段と、
前記少なくとも１つのパケット断片の１つの少なくとも一部分を記憶する手段と、
を備えた装置。